(57)【要約】【課題】陳列販売スタンド用にも、棒に差し込んで吊下げることもできる多用途の包装を提供すること。【解決手段】物品のための包装であって、少なくとも一つのガイド手段を介して本質的に垂直に摺動可能な吊下げ要素を備え、それにより、吊下げ要素に形成された吊下げ装置が該包装の外周縁から上方に引出し可能であり、また該包装の外周縁から下方へ押込み可能であることを特徴とする、包装。【選択図】図３
2008518855.tif 000002
【特許請求の範囲】
【請求項１】
物品のための包装（１５）であって、少なくとも一つのガイド手段（１７）を介して本質的に垂直に摺動可能な吊下げ要素（１０）を備え、それにより、該吊下げ要素に形成された吊下げ装置（１１）が該包装（１５）の外周縁から上方に引出し可能であり、或いは該包装（１５）の外周縁から下方へ押込み可能であることを特徴とする、包装。
【請求項２】
前記包装（１５）は、前記ガイド手段として、包装から伸びた少なくとも一つのガイドピン（１７）を備え、該ガイドピンに前記吊下げ要素（１０）の本質的に垂直な長孔（１２）が係合し、該長孔を介して前記吊下げ要素（１０）が該ガイドピン（１７）と相対的に摺動可能であることを特徴とする、請求項１に記載の包装。
【請求項３】
前記ガイドピン（１７）は、前記垂直な長孔（１２）の幅よりも大きい直径の頭部を有することを特徴とする、請求項２に記載の包装。
【請求項４】
前記垂直な長孔（１２）の端部（１３）は、その中間部（１４）よりも幅広いことを特徴とする、請求項２又は３に記載の包装。
【請求項５】
前記ガイドピン（１７）は、前記包装（１５）の裏面から後方に延在することを特徴とする、請求項２から４のいずれか一に記載の包装。
【請求項６】
前記包装（１５）の裏面には裏当て（１６）が配設されていることを特徴とする、請求項１から５のいずれか一に記載の包装。
【請求項７】
前記裏当てには少なくとも１つの補強手段（１８）を備えることを特徴とする、請求項６に記載の包装。
【請求項８】
前記補強手段は、前記少なくとも１つのガイドピン（１７）が嵌合することができる１つの円形の孔であることを特徴とする、請求項７に記載の包装。
【請求項９】
前記吊下げ要素（１０）は前記裏面と前記裏当て（１６）の間に配設されていることを特徴とする、請求項６から８のいずれか一に記載の包装。
【請求項１０】
前記吊下げ要素（１０）はプラスチック製であることを特徴とする、請求項１から９のいずれか一に記載の包装。
【請求項１１】
前記プラスチックは透明であることを特徴とする、請求項１０に記載の包装。
【請求項１２】
前記吊下げ要素の厚さは０．１から０．５ｍｍであり、特に約０．３ｍｍであることを特徴とする、請求項１から１１のいずれか一に記載の包装。
【請求項１３】
前記裏当て（１６）は紙製であることを特徴とする、請求項６から１２のいずれか一に記載の包装。
【請求項１４】
前記吊下げ装置は吊下げ孔（１１）であることを特徴とする、請求項１から１３のいずれか一に記載の包装。
【請求項１５】
前記受入れ孔（１１）は標準化された受入れ孔であることを特徴とする、請求項１４に記載の包装。
【発明の詳細な説明】
【技術分野】
【０００１】
本発明は、物即ち物品の包装に関する。
【背景技術】
【０００２】
提供され、販売される製品の包装は、昨今において非常に重要である。一面では、包装は傷つきやすい製品を保護し、他面では、提供された製品に消費者の注意を引くべきものである。公知の包装は、例えば製品を入れるプラスチックトレイと厚紙でできた裏当てからできており、この裏当て紙でプラスチックトレイが密封されている。このような包装は、例えば陳列販売スタンド（台ないし棚）に収納されるか、あるいは販売スペースにおいて（陳列）棒に適当な吊下げ装置によって吊下げることができる。後者の選択肢のためには、棒を差し込むための適当な孔か、何かそのようなものを少なくとも裏当て紙に設ける必要がある。このような吊下げ式包装の場合、記載された製品情報と共に吊下げ装置のための十分な面積を提供するため、裏当て紙を多少大きめに仕上げる必要がある。
【０００３】
裏当てとプラスチックトレイからなる包装のための、従来技術による公知の裏当ての典型例を図１及び図２に示す。図１は陳列販売スタンド（台ないし棚）に収納できる裏当て１を示す。裏当て１は、その上部２に製品情報を表示することができ、並びにその下部３には、製品を入れるプラスチックトレイ（図示せず）を付けることができる。
【０００４】
図２は、対応する裏当て１’であり、同様に上部２’と下部３’を有する。ただしこの裏当て１’は陳列棒に吊下げることを想定しており、上部２’には孔４’、特に標準化された孔がそれを通して陳列棒に差し込めるように設けられている。この孔４’を設けるため、裏当て１’の上部２’は裏当て１の上部２よりも広い面積に仕上げなければならない。それは一つには、上部２’に示す必要がある全ての製品情報を考慮してのことであり、そしてまた孔４’を設けるのに十分大きな面積を提供するためである。
【発明の開示】
【発明が解決しようとする課題】
【０００５】
そのため、従来技術においては、同一の製品をそのような包装に入れるにもかかわらず、意図した包装の陳列場所に応じてさまざまな形状と大きさの包装が必要であった。製品シリーズをこのような包装に包装しなければならないということは、このシリーズのどの部分にも常に２つの異なる包装形状を用意しなければならず、用意すべき包装数が非常に多くなる結果となる。
【０００６】
かくて本発明の課題は、従来技術の欠点を克服する包装を提供すること、特に、陳列販売スタンド（台ないし棚）にも、棒に差し込んで吊下げることもできる多用途の包装を提供することである。
【課題を解決するための手段】
【０００７】
この課題は、本発明により次のように解決される。すなわち、少なくとも一つのガイド手段を介して本質的に垂直に摺動可能な吊下げ要素を備え、それにより、該吊下げ要素に形成された吊下げ装置が該包装の外周縁から上方に引出し可能であり、或いは該包装の外周縁から下方へ押込み可能であることを特徴とする包装によって、解決される。
【０００８】
前記包装は、前記ガイド手段として、包装から伸びた少なくとも一つのガイドピンを備え、それに前記吊下げ要素の本質的に垂直な長孔が係合し、該長孔を介して前記吊下げ要素が該ガイドピンと相対的に摺動可能であることが好ましい。
【０００９】
また、前記ガイドピンは、前記垂直な長孔の幅よりも大きい直径の頭部を有することが好ましい。
【００１０】
１つの実施形態において、垂直な長孔の端部は、その中間部よりも幅が広くなっている。該長孔の端部をその中間部よりも幅広く仕上げることにより、ガイドピンは、吊下げ要素が包装の外周縁から完全に引出された時か、又は包装の外周縁から完全に押込まれた時に、実用的な１つの仕方ないし態様で安定した位置に保持される。吊下げ要素をこれらの静止位置から摺動するためには、ある程度の力が必要になるからである。
【００１１】
さらに、ガイドピンは包装の裏面から後方に向かって延在することができる。
【００１２】
特に、包装の裏側に裏当てが配設されていることが好ましい。
【００１３】
ここで、裏当てには少なくとも１つの補強手段を備えることができる。
【００１４】
また、補強手段は、少なくとも１つのガイドピンが嵌合することができる１つの円形の孔であることが好ましい。
【００１５】
特に、吊下げ要素は裏面と裏当ての間に配設されていることが好ましい。
【００１６】
本発明によれば適宜、吊下げ要素にプラスチックを用いることができ、特に透明のプラスチックが好ましい。
【００１７】
吊下げ要素の厚さは０．１から０．５ｍｍであり、特に約０．３ｍｍであることが好ましい。
【００１８】
また、裏当ては紙製であることが好ましい。
【００１９】
さらに、吊下げ装置は吊下げ孔にすることができる。
【００２０】
最後に、受入れ孔は標準化された受入れ孔であることが好ましい。
【００２１】
本発明は、陳列販売スタンドに置くことも、棒に通して吊下げる吊下げ用包装にもできる多目的でフレキシブルな包装という驚くべき知見に基づく。これにより、設けられた吊下げ要素は、必要に応じ包装の外周縁から上方へ引出し、販売用の棒に差し込むことができ、又は本発明に係る問題を解決した包装を陳列販売スタンドに並べることができるように、吊下げ要素を包装の外周縁から下方へ押込むことができる。本発明に係る包装により、種々の陳列場所に応じて異なった包装を準備する必要性が避けられる。裏当てが情報の表示（広告）を妨げたり制限したり、又は基本的により大きな面積の裏当てを必要とすることなく、例えば裏当てに配置されるそのような商品情報を、問題なく包装に記載することができる。
【００２２】
包装の外周縁の上縁部から上方へ引出し、或いは下方に押込むことができるように、摺動（スライド）可能な吊下げ要素が包装に配設されていると特に有利である。
【００２３】
吊下げ要素の摺動を可能にする種々のガイド手段は、この分野の専門家にとってもちろん公知である。ガイドピンの使用のほか、例えばその中で吊下げ要素を制限された仕方（ないし範囲）で摺動することができる、裏当ての横に配置されたレールを備えることができる。特に、吊下げ要素が包装の裏面と裏当ての間に配置されると有利である。しかしまた、吊下げ要素を裏当てのさらに後ろに配置し、そこで引出したり押込んだりすることもできる。吊下げ要素を裏当てと包装の裏面の間に配置することは、包装全体としての安定性のために有利である。そのような構成の場合、裏当てに記載された情報を隠さないようにするため、吊下げ要素は透明であることが好ましい。
【００２４】
ガイド手段として（複数の）ガイドピン(Fuehrungsstiften)を用いる場合、これらのガイドピンはキノコのような形状を備えることが好ましい。つまり、ガイドピンの頭部が、その胴部より大きい直径を有することである。そのような形状は、包装の吊下げ要素（及び裏当て）のかなりしっかりとした補強を可能にする。
【発明を実施するための最良の形態】
【００２５】
本願発明に係るより広範な特徴及び利点は、好ましい実施形態を図面に基づき詳細に説明することによって明らかになる。
【００２６】
図３は、好ましくは透明なプラスチック、例えばポリメチルメタクリレート又はポリカーボネートで作られた吊下げ要素１０を示す。この吊下げ要素１０には、その上部に吊下げ孔１１があり、それに吊下げ棒を差込むことができる。吊下げ要素１０の下部には、２つの本質的に垂直な長孔１２が設けられている。これらの長孔１２は、その長孔１２の中間部１４の幅より大きい幅の端部（複数）１３を持つ。このような構成は、吊下げ要素１０の２つの終点位置、つまり、１つの終点位置は吊下げ要素１０が引出された時、そして他の１つの終点位置は吊下げ要素１０が押込まれた時、を決定するという点で有利である。
【００２７】
図４は、本発明に係る包装の平面図を示し、図３に示す吊下げ要素１０が押込まれた位置にある場合を示す。吊下げ要素１０は包装１５の上部に配置され、包装１５の裏当て１６（点線で図示）の少なくとも一部分を覆っている。ガイドピン１７は、包装１５から、好ましくは包装の裏面から延在し、裏当て１６と包装１５の裏面との間に吊下げ要素１０を配置するために、吊下げ要素１０の垂直な長孔１２及び裏当て１６の丸い孔（図示せず）を通して案内することができる。吊下げ要素１０は透明なので、裏当て１６に記載された情報はそのような吊下げ要素１０から覆い隠されることはない。本発明に係るこのような包装１５は、陳列販売スタンドに何の問題もなく並べることができる。
【００２８】
このような包装１５は、棒に吊下げることも必要である。そのため、図５に示すように、吊下げ要素１０のみがガイドピン１７の上を垂直の長孔１２に沿って引出されなければならない。その結果、包装１５或いは裏当ての外周縁の上方に吊下げ孔１１が示されている。
【００２９】
本発明に係る包装は、本発明に係る包装に重大な変更をすることなく陳列販売スタンドへの収納、或いは棒への吊下げ（展示）を可能にするため、このように簡単な方法で変更できる。さらに本発明に係る包装は、１つの包装でも必要な２つの展示形態に簡単な方法で作り変えられることを可能にする。これは、特に一つの製品シリーズのために異なる包装を準備する必要がもはやないという点で、このような包装の生産コストを大きく低減する。
【００３０】
上述の明細書、特許請求の範囲及び図面によって開示された本発明の特徴は、異なる実施形態による本発明の実現のために個々に及びあらゆる任意の組合せについて、本質的なものでありうる。
【図面の簡単な説明】
【００３１】
【図１】従来技術における包装の裏当てを示す。
【図２】従来技術における包装の裏当てを示す。
【図３】本発明の包装の使用における吊下げ要素を示す。
【図４】本発明に係る包装の押込まれた吊下げ要素の部分図を示す。
【図５】本発明に係る包装の引出された吊下げ要素の部分図を示す。
【符号の説明】
【００３２】
１    裏当て
１’  裏当て
２    上部
２’  上部
３    下部
３’  下部
４’  孔  
１０    吊下げ要素
１１    吊下げ装置
１２    長孔
１３    端部
１４    中間部
１５    包装
１６    裏当て
１７    ガイド手段
【図１】
2008518855.tif 000003
【図２】
2008518855.tif 000004
【図３】
2008518855.tif 000005
【図４】
2008518855.tif 000006
【図５】
2008518855.tif 000007
【国際調査報告】
2008518855.tif 000008
2008518855.tif 000009
2008518855.tif 000010
2008518855.tif 000011